(57)【要約】【課題】  両手利きに対応してディスプレイパネルの位置を選択的に変更して使用できるように構造が改善された映像撮影装置を提供する。【解決手段】本発明の映像撮影装置は、映像を撮影するカメラユニットと、前記カメラユニットが組み込まれる本体と、映像をディスプレイするディスプレイパネルと、前記ディスプレイパネルを前記本体を基準に相互対称する左側及び右側に選択的に位置移動自在に連結するヒンジユニットと、を含むことを特徴とする。【選択図】      図２Ａ 
2005065223.tif 000002
【特許請求の範囲】
【請求項１】
映像を撮影するカメラユニットと、
前記カメラユニットが内蔵される本体と、
映像をディスプレイするディスプレイパネルと、
前記ディスプレイパネルを前記本体を基準として相互対称する左側及び右側に選択的に位置移動自在に連結するヒンジユニットと、
を含むことを特徴とする映像撮影装置。
【請求項２】
前記ヒンジユニットは、
前記ディスプレイパネルを前記カメラユニットによる映像の撮影方向を基準として所定の角度で回動自在に軸支する第１の軸ユニットと、
前記第１の軸ユニットに連結され、前記ディスプレイパネルを前記撮影方向に交差する方向を基準として所定の角度で回転自在に軸支する第２の軸ユニットと、
を含むことを特徴とする請求項１に記載の映像撮影装置。
【請求項３】
前記第１の軸ユニットは、
前記本体に固着され、軸孔を有する固定ブラケットと、
前記軸孔に挿入される軸部材と、
前記軸部材で保持されて前記固定ブラケットに対し相対的に回転自在であり、前記第２の軸ユニットを保持する回転ブラケットと、
を含むことを特徴とする請求項２に記載の映像撮影装置。
【請求項４】
前記第１の軸ユニットは、前記固定ブラケットと回転ブラケットとの間に設けられ、前記回転ブラケット所定の角度回転する度にクリック感を発生させるためのクリックブラケットをさらに含むことを特徴とする請求項３に記載の映像撮影装置。
【請求項５】
前記クリックブラケットは、前記回転ブラケットに固着され、前記固定ブラケットに形成されたクリック溝に挿入されるように所定の回転角度おきに突設されたエンボス部を有する板ばねであることを特徴とする請求項４に記載の映像撮影装置。
【請求項６】
前記第１の軸ユニットは、前記ディスプレイパネルの回転状態を検知するための検知スイッチをさらに含むことを特徴とする請求項３記載の映像撮影装置。
【請求項７】
前記検知スイッチは、
前記固定ブラケットで保持され、前記回転ブラケットと向かい合う面に所定のパターンのスイッチ端子が設けられたパターン端子パネルと、
前記回転ブラケットで保持されて共に回転し、回転位置によって前記スイッチ端子に弾接することで前記ディスプレイパネルの位置モード別にオン／オフスイッチングするスイッチング弾性片と、
を含むことを特徴とする請求項６に記載の映像撮影装置。
【請求項８】
前記スイッチ端子は、
前記回転ブラケットの回転中心を基準に円弧状に設けられた基本端子と、
前記基本端子に隣接して設けられ、前記回転ブラケットの回転時、該回転角度によって前記スイッチング弾性片により選択的に前記基本端子に接続する第１、第２及び第３のモード端子と、
を含むことを特徴とする請求項７に記載の映像撮影装置。
【請求項９】
前記基本端子と前記各モード端子との接続状態によって前記ディスプレイパネルにディスプレイされる映像の基準座標が決められることを特徴とする請求項８に記載の映像撮影装置。
【請求項１０】
前記各モード端子は、前記ディスプレイパネルが前記本体に重ね合わされた状態の角度を０°とし、これを基準に少なくとも２７０°の回転角度の間で所定の区間ずつ占めるように設けられたことを特徴とする請求項８に記載の映像撮影装置。
【請求項１１】
前記第１のモード端子は、０°から少なくとも１３５°の角度区間内に設けられ、前記第２のモード端子は、１３５°から２２５°の角度区間内に設けられ、前記第３のモード端子は、２２５°から２７０°の角度区間内に設けられ、前記スイッチング弾性片により前記基本端子に接続自在に形成されたことを特徴とする請求項８に記載の映像撮影装置。
【請求項１２】
前記本体は、
内部に格納媒体が内蔵される第１のケース体と、
前記第１のケース体の上部に連結され、前記カメラユニットが内蔵される第２のケース体、及び
前記第２のケース体と対称して前記第１のケース体の上部に連結され、ビューファインダーユニットが内蔵される第３のケース体と、
を含み、
前記第２のケース体と第３のケース体との間には、前記ヒンジユニットを動き自在に収容するための隙間が形成されることを特徴とする請求項１に記載の映像撮影装置。
【請求項１３】
前記本体は、前記隙間を覆うように前記ヒンジユニットに結合されるカバーブラケットをさらに含むことを特徴とする請求項１２に記載の映像撮影装置。
【請求項１４】
前記第１のケース体は、前記ディスプレイパネルが収められるように外側に凹状に形成されたパネル収め部と、前記パネル収め部に対称して他側に凹状に形成されたバッテリ収め部と、を有することを特徴とする請求項１２に記載の映像撮影装置。
【発明の詳細な説明】
【技術分野】
【０００１】
本発明は、映像を撮影し格納するための映像撮影装置に関する。
【背景技術】
【０００２】
一般に、テープのような記録媒体に撮影する被写体の映像を記録及び再生する映像撮影装置の代表的な一例としてカムコーダーが広く普及されている。
【０００３】
前記カムコーダーは、一般に、映像を撮影するためのレンズ装置と、撮影した映像を記録／再生する記録／再生装置と、撮影及び記録した映像をディスプレイするディスプレイ装置等を備える。今日まで前記記録／再生装置としては、磁気テープ等を使用するためのデッキ装置が主に採用されてきている。しかし、最近では、記録媒体の技術の発展に伴い、メモリースティック、高容量のＨＤＤ等の種々の形態の記録／再生装置が採用されており、この結果、新しく市販される映像撮影装置は、次第に小型化及び軽量化になりつつある。
【０００４】
一方、前記ディスプレイ装置は、カムコーダー本体のいずれか一方に開閉自在に設けられるＬＣＤパネルと、ビューファインダー等から構成される。前記ＬＣＤパネルは、通常のカムコーダーを例に挙げてみると、撮影方向を基準にカムコーダー本体の左側に設けられるのが一般である。即ち、大半のカムコーダーは、右利きを基準にして右手との干渉を避けるためにカムコーダー本体の左側に設けられ、その設けられた位置でのみ開閉自在とされており、開いた状態で所定の角度回転する構成が一般である。前記ビューファインダーの場合には、カメラ装置の反対側に設けられるのが一般である。
【０００５】
ところで、前記のようなＬＣＤパネルが右利きを基準にしてカムコーダー本体のいずれか一方だけに一方的に設けてあるため、左利きの場合には、非常に取り扱い難い。また、右利きの場合でも、場合によっては左手で把持して撮影することもあるが、このような点については全く考慮されていないので、ユーザーはその不便さを甘受しながら映像の撮影に臨まなければならないという不具合があった。
【発明の開示】
【発明が解決しようとする課題】
【０００６】
本発明は、前記のような問題点を解決するためになされたものであって、その目的は、両手利きに対応してディスプレイパネルの位置を選択的に変更して使用できるように構造が改善された映像撮影装置を提供することである。
【課題を解決するための手段】
【０００７】
前記目的を達成するための本発明の映像撮影装置は、映像を撮影するカメラユニットと、前記カメラユニットが組み込まれる本体と、映像をディスプレイするディスプレイパネルと、前記ディスプレイパネルを前記本体を基準に相互対称する左側及び右側に選択的に位置移動自在に連結するヒンジユニットと、を含むことを特徴とする。
【０００８】
ここで、前記ヒンジユニットは、前記ディスプレイパネルを前記カメラユニットによる映像の撮影方向を基準に所定の角度回動自在に軸支する第１の軸ユニットと、前記第１の軸ユニットに連結され、前記ディスプレイパネルを前記撮影方向に交差する方向を基準に所定の角度回転自在に軸支する第２の軸ユニットと、を含むことが好ましい。
【０００９】
また、前記第１の軸ユニットは、前記本体に固着され、軸孔を有する固定ブラケットと、前記軸孔に挿入される軸部材と、前記軸部材で保持されて前記固定ブラケットに対し相対的に回転自在であり、前記第２の軸ユニットを保持する回転ブラケットと、を含むことがよい。
【００１０】
また、前記第１の軸ユニットは、前記固定ブラケットと回転ブラケットとの間に設けられ、前記回転ブラケット所定の角度回転する度にクリック感を発生させるためのクリックブラケットを更に含むことがよい。
【００１１】
また、前記クリックブラケットは、前記回転ブラケットに固着され、前記固定ブラケットに形成されたクリック溝に挿入されるように所定の回転角度おきに突設されたエンボス部を有する板ばねであることがよい。
【００１２】
前記第１の軸ユニットは、前記ディスプレイパネルの回転状態を検知するための検知スイッチを更に含むことがよい。
【００１３】
前記検知スイッチは、前記固定ブラケットで保持され、前記回転ブラケットと向かい合う面に所定のパターンのスイッチ端子が設けられたパターン端子パネルと、前記回転ブラケットで保持されて共に回転し、回転位置によって前記スイッチ端子に弾接することで前記ディスプレイパネルの位置モード別にオン／オフスイッチングするスイッチング弾性片と、を含むことがよい。
【００１４】
前記スイッチ端子は、前記回転ブラケットの回転中心を基準に円弧状に設けられた基本端子と、前記基本端子に隣接して設けられ、前記回転ブラケットの回転時、該回転角度によって前記スイッチング弾性片により選択的に前記基本端子に接続する第１、第２及び第３のモード端子と、を含むことがよい。
【００１５】
前記基本端子と前記各モード端子の接続状態によって前記ディスプレイパネルにディスプレイされる映像の基準座標が決められることがよい。
【００１６】
前記各モード端子は、前記ディスプレイパネルが前記本体に重ね合わされた状態の角度を０°とし、これを基準に少なくとも２７０°の回転角度の間で所定の区間ずつ占めるように設けられることがよい。
【００１７】
前記第１のモード端子は、０°から少なくとも１３５°の角度区間内に設けられ、前記第２のモード端子は、１３５°から２２５°の角度区間内に設けられ、前記第３のモード端子は、２２５°から２７０°の角度区間内に設けられ、前記スイッチング弾性片により前記基本端子に接続自在に形成されることがよい。
【００１８】
前記本体は、内部に格納媒体が組み込まれる第１のケース体と、前記第１のケース体の上部に連結され、前記カメラユニットが組み込まれる第２のケース体、及び前記第２のケース体と対称して前記第１のケース体の上部に連結され、ビューファインダーユニットが組み込まれる第３のケース体と、を含み、前記第２のケース体と第３のケース体との間には、前記ヒンジユニットを動き自在に収容するための隙間が形成されることがよい。
【００１９】
前記本体は、前記隙間を覆うように前記ヒンジユニットに結合されるカバーブラケットを更に含むことがよい。
【００２０】
前記第１のケース体は、前記ディスプレイパネルが収められるように外側に凹状に形成されたパネル収め部と、前記パネル収め部に対称して他側に凹状に形成されたバッテリ収め部と、を有することがよい。
【発明の効果】
【００２１】
本発明の映像撮影装置によれば、ディスプレイパネルを本体の左右側に選択的に位置させ使用することができるため、左利きや右利きによらず自由自在に使用することができる。
【００２２】
特に、ディスプレイパネルの位置によって画面の映像が所定の座標に沿って反転するため、ユーザーは、正常な画面を見ながら映像撮影装置を使用できるようになる。
【発明を実施するための最良の形態】
【００２３】
以下、添付の図面を参照して本発明の実施例に係る映像撮影装置を詳しく説明する。
【実施例】
【００２４】
図１を参照すると、本発明の映像撮影装置は、本体１０と、前記本体１０に動き自在に設けられるディスプレイパネル２０を備える。
【００２５】
前記本体１０は、図２Ａに示すように、内部に格納媒体、例えば、デッキ装置１０ａ及び回路基板１０等が設けられる第１のケース体１１と、第１のケース体１１の上部に互いに対称して連結される第２及び第３のケース体１２、１３を有する。第２及び第３のケース体１２、１３は、経筒状を有し、第２のケース体１２と第３のケース体１３との間には所定の隙間Ｇが設けられる。前記第２のケース体１２には、映像を撮影するためのカメラユニット１４が組み込まれる。前記第３のケース体１３には、ビューファインダーユニット１５が組み込まれる。
【００２６】
また、前記第１のケース体１１の一側面には、ディスプレイパネル２０が収められるパネル収め部１１ａが凹状に形成される。そして、第１のケース体１１の他側面には、パネル収め部１１ａに対称してバッテリ収め部（図示せず）が凹状に形成される。
【００２７】
前記隙間Ｇを覆うように前記ヒンジユニット３０に結合されて共に回転するカバーブラケット１５が更に設けられる。このカバーブラケット１５は、後述する回転ブラケット４２に結合され、前記隙間Ｇを覆った状態で共に回転する。
【００２８】
前記ディスプレイパネル２０は、本体１０、即ち、第１のケース体１１を基準に左側及び右側に位置移動自在に本体１０にヒンジユニット３０を介して連結される。即ち、前記ディスプレイパネル２０は、映像の撮影方向Ａ及びその撮影方向Ａに交差する所定の軸方向Ｂを中心に２軸回転自在に設けられる。
【００２９】
図２Ｂ及び図３を参照すると、前記ヒンジユニット３０は、ディスプレイパネル２０を撮影方向Ａを中心に回転させるための第１の軸ユニット４０と、該第１の軸ユニット４０に連結され、前記ディスプレイパネル２０を軸方向Ｂを中心に回転させるための第２の軸ユニット５０を備える。
【００３０】
前記第１の軸ユニット４０は、固定ブラケット４１と、回転ブラケット４２と、軸部材４３と、クリックブラケット４４、及び固定部材４５を備える。
【００３１】
前記固定ブラケット４１は、本体１０の上段、即ち、第２のケース体１２の第３のケース体１３と向かい合う面に固着される。前記固定ブラケット４１は、前記軸部材４３が挿入する軸孔４１ａを有し、第２のケース体１３と向かい合う全面には複数のクリック溝４１ｂと少なくとも一つの突起４１ｃが形成される。前記クリック溝４１ｂは、軸孔４１ａを回転中心にして一定の間隔で形成される。
【００３２】
前記回転ブラケット４２は、前記軸部材４３が挿入する軸孔４２ａを有し、前記第２の軸ユニット５０を保持する。この回転ブラケット４２は、軸孔４２ａを軸部材４３が挿入された他状態で、その軸部材４３を中心に回転する。即ち、回転ブラケット４２は、前記撮影方向Ａを中心に回転自在になり、この結果、ディスプレイパネル２０を撮影方向Ａを中心に所定の角度回転できるようになる。図４を参照すると、回転ブラケット４２の固定ブラケット４１と向かい合う面には、前記クリックブラケット４４を固定するための突起４２ｂが突設される。また、固定ブラケット４１には、後述するスイッチング弾性片６３が収容され保持される装着溝４２ｃが凹状に形成される。更に、前記回転ブラケット４２の一側には、前記第２の軸ユニット５０を保持するための保持部４２ｄが延在し折り曲げられている。
【００３３】
前記クリックブラケット４４は、固定ブラケット４１と回転ブラケット４２との間に設けられる。このクリックブラケット４４は、環状の板ばねであって、所定の角度おきに形成されたエンボス部４４ａを有する。前記エンボス部４４ａは、前記クリック溝４１ｂに対応する間隔で複数設けられる。また、クリックブラケット４４には、回転ブラケット４２の突起４２ｂに対応する位置固定用孔４４ｂが形成される。突起４２ｂと孔４４ｂとが係合するようにクリックブラケット４４を回転ブラケット４２に固定させると、回転ブラケット４２の回転の際、クリックブラケット４４のエンボス部４４ａとクリック溝４１ｂとの係合及び係脱によって一定の角度おきにクリック感が発生するようになる。
【００３４】
前記固定ブラケット４１と、回転ブラケット４２及びクリックブラケット４４は、軸部材４３の一端に固定ブッシュ４５が介在してコーキングされることにより、互いに分離しないように組み立てられる。
【００３５】
一方、前記第１の軸ユニット４０は、ディスプレイパネル２０の回転状態、即ち、撮影方向Ａへの回転された姿勢を検知するための検知スイッチ６０を更に備える。
【００３６】
前記検知スイッチ６０は、固定ブラケット４１で保持されるパターン端子パネル６１と、前記パターン端子パネル６１と向かい合うように回転ブラケット４２で保持されるスイッチング弾性片６３を備える。前記パネル６１は、中央に前記軸部材４３が挿入する中孔６１を有する円盤状プレートである。このパネル６１は、固定ブラケット４１の突起４１ｃが係合する結合孔６１ｂを有する。無論、接着剤でパネル６１を固定ブラケット４１に固定することもできる。かかるパネル６１の回転ブラケット４２と向かい合う面には、前記弾性片６３に電気的に接続可能なスイッチング端子６２が所定のパターンで形成される。
【００３７】
前記スイッチング端子６２は、図５に示すように、中孔６１ａの周りに円形でパターニングされた基本端子６２ａと、前記基本端子６２ａの周りに所定の形状でパターニングされた第１、第２及び第３モード端子６２ｂ、６２ｃ、６２ｄを備える。前記基本端子６２ａは、常時前記スイッチング弾性片６３に接続される。
【００３８】
前記各モード端子６２ｂ、６２ｃ、６２ｄは、回転ブラケット４２の回転の際、選択的に前記弾性片６３に電気的に接続される。従って、前記弾性片６３が各モード端子６２ｂ、６２ｃ、６２ｄのいずれかと接続されているかを検知することで回転ブラケット４２の回転角度を検知し、その回転角度に関する情報に基づいてディスプレイパネル２０の回転状態を把握し、ディスプレイすべき画像の座標を決めるようになる。このために、前記各モード端子６２ｂ、６２ｃ、６２ｄは、基本端子６２ａの外側に円弧状に順次に所定の角度区間を占めるように設けられる。
【００３９】
本発明の実施例では、ディスプレイパネル２０が本体１０の装着部１１ａに装着された状態で、弾性片６３が接触する時点を基準角度、即ち、０°にして前記各モード端子６２ｂ、６２ｃ、６２ｄが所定の区間ずつ形成される。図５に示すように、第１のモード端子６２ｂは、０°から少なくとも１３５°の角度区間内で連続して設けられる。より具体的に、第１のモード端子６２ｂは、１３５°から１８０°の角度区間の間で所定の区間まで延在する。第２のモード端子６２ｃは、１３５°から２２５°の角度区間内で所定の距離連続して設けられる。第３のモード端子６２ｄは、２２５°から少なくとも２７０°の角度区間内で連続して設けられる。各モード端子６２ｂ、６２ｃ、６２ｄは、同一の回転半径内に位置するように設けられ、占める角度区間は互いに異なる。また、好ましくは、前記第１及び第２のモード端子６２ｂ、６２ｃは、１３５°から１８０°の角度の間で短絡するように設けられる。そして、第２及び第３のモード端子６２ｃ、６２ｄは、１８０°から２２５°角度の間で短絡するように設けられる。
【００４０】
前記各モード端子６２ｂ、６２ｃ、６２ｄは、図示しない制御部に接続され、スイッチング弾性片６３との接続状態に関する情報を制御部に提供し、制御部では、提供された情報に基づいてディスプレイパネル２０に表示すべき映像の座標を少なくとも９０°ずつ選択的に変更してディスプレイするように制御する。
【００４１】
一方、前記スイッチング弾性片６３は、前記固定ブラケット４２の装着溝４２ｃに差し込まれて固定される。この弾性片６３は、前記基本端子６２ａに常時接触する第１の接触片６３ａと、前記第１の接触片６３ａに隣接して前記モード端子６２ｂ、６２ｃ、６２ｄのいずれかに選択して接続される第２の接触片６３ｂを有する。本実施例では、前記各接触片６３ａ、６３ｂは、前記弾性片６３の一部分を所定の幅及び長さで２本切り抜くことで１対ずつ形成する。また前記弾性片６３とパターン端子パネル６１同士は、その位置が入れ替わってもよい。
【００４２】
前記第２の軸ユニット５０は、回転ブラケット４２の保持部４２ｄに連結されディスプレイパネル２０を軸方向Ｂに対し回転自在に保持する。かかる第２の軸ユニット５０は、通常のヒンジ構成であって、図４に示すように、保持部４２ｄの軸案ｈ１を回転自在に挿通するシャフト５１と、前記保持部４２ｄの軸孔を挿通したシャフト５１の下段に結合されるパネル保持ブラケット５２と、前記保持部４２ｄに固定されシャフト５１が回転自在に通過する係止ブラケット５３と、板ばね状弾性ブラケット５４と、回転角規制部材５５、及び抜止用固定部材５６を有する。
【００４３】
前記保持ブラケット５３には、ディスプレイパネル２０が結合される。従って、保持ブラケット５３のシャフト５１に対する回転及び回転ブラケット４２に対する回転が、ディスプレイパネル２０と一体に動作する。前記係止ブラケット５３は、前記弾性ブラケット５４と共に保持部４２ｄの上面に固定される。即ち、弾性ブラケット５４には、一対の固定用リング５４ｂが形成される。該固定用リング５４ｂが係止ブラケット５３に形成された一対の通過ホール５３ｂを通過し、保持部４２ｄに形成された係止孔ｈ２に差し込まれて固定される。無論、係止ブラケット５３と弾性ブラケット５４のそれぞれにはシャフト５１が回転自在に挿入される軸孔５３ａ、５４ａが形成される。前記規制部材５５は、シャフト５１が結合される非円形の結合孔５１ａを有することにより、弾性ブラケット５４に接触してシャフト５１ｌに結合され、該シャフト５１と共に回転する。そして、規制部材５５の外周には、回転の際、前記規制突起５３ｃが係止する係止段付部５５ｂが一対設けられる。前記接触突起５４ｃに規制部材５５が接触した状態で回転するため、規制部材５５は、回転の際、小さい摩擦力を受けながら回転し、騒音の発生も軽減できるようになる。前記固定部材５６は、シャフト５１の最上段に結合され、上述した部材５３、５４、５５がシャフト５１から外れることを防止する。
【００４４】
以下、上述したような構成を有する本発明の実施例に係る映像撮影装置の動作を説明することにする。
【００４５】
まず、図６の状態は、ディスプレイパネル２０が本体１０に収められ分離される前の状態である。この時には、図５に示すように、スイッチング弾性片６３が基準角度、即ち、０°の地点に位置し、基本端子６２ａは、第１のモード端子６２ｂに電気的に接続された状態である。
【００４６】
前記状態から図７Ａに示した状態までディスプレイパネル２０を回転させる。図７Ａの状態は、ディスプレイパネル２０が第１の軸ユニット４０により９０°回転し、第２の軸ユニット５０によっても９０°回転した状態である。この状態では、前記回転ブラケット４２が９０°回転した状態である。従って、該回転ブラケット４２で保持された弾性片６３は、図７Ｂに示すように、基準角度（０°）から９０°回転した状態に位置する。無論、この場合でも、弾性片６３は、基本端子６２ａと第１のモード端子６２ｂとを電気的に接続する。従って、ディスプレイパネル２０の画面には、ｙ軸を基準に映像が上下をなすようにディスプレイされる。また、このようにディスプレイパネル２０が本体１０の左側に位置した状態では、右利きにとって取り扱い易い。
【００４７】
また、図８Ａに示すように、ディスプレイパネル２０を図７Ａの状態から反時計周りに４５°更に回転させることができる。この場合でも、弾性片６３は、図８Ｂに示すように、基本端子６２ａと第１のモード端子６２ｂとを電気的に接続している。従って、制御部では、映像をディスプレイパネル２０の画面にｙ軸を基準に上下になるように制御する。即ち、ディスプレイパネル２０は、０°から少なくとも１３５°の間では、同一の座標上に示される映像をディスプレイするようになる。
【００４８】
一方、前記弾性片６３が１３５°の角度区間を過ぎて１８０°に向けて移動する途端に、弾性片６３が第１のモード端子６２ｂから離れ、第２のモード端子６２ｃに接触する。すると、ディスプレイパネル２０の画面への映像は、９０°程反転してディスプレイされる。即ち、図９Ａに示すように、ディスプレイパネル２０が初期の位置から１８０°回転した状態である時、画面の映像は、ｘ軸に沿って上下にディスプレイされるように反転する。この時には、当然の如く、図９Ｂに示すように、弾性片６３は、基本端子６２ａと第２のモード端子６２ｃとを電気的に接続している。
【００４９】
次いで、図１０Ａに示すように、ディスプレイパネル２０が図９Ａの状態から４５°程更に回転すると、図１０Ｂに示すように、弾性片６３は、第２のモード端子６２ｃから離れ、第３のモード端子６２ｄに接続する。従って、ディスプレイパネル２０の画面には、映像が図９Ａの状態から９０°更に反転してディスプレイされる。即ち、映像は、再びｙ軸を基準に画面の上下にディスプレイされる。
【００５０】
また、図１１Ａ及び図１１Ｂに示すように、ディスプレイパネル２０を図１０Ａの状態から４５°更に回転させることもできる。この場合でも、弾性片６３は、第３のモード端子６２ｄに接続された状態を保つため、画面には、映像がｙ軸を基準に上下にディスプレイされる。
【００５１】
一方、前記図１１Ａの状態では、ディスプレイパネル２０が本体１０の右側に完全に移動した状態である。従って、この場合には、右利きよりは左利きの方が本体１０を把持し使用し易い状態になる。即ち、図８Ａ乃至図１０Ａの状態までは、右利き及び左利きの両者とも不便さを感じることなく使用することができ、図７Ａ及び図１０Ａの状態までは、右手または左手で選択的に把持して使用することができるようになる。
【００５２】
また、前記のように、ディスプレイパネル２０の回転角度によってディスプレイされる映像の座標が決められ、所定の角度から反転する構成及び反転角度は、特に限定されたり固定されたりするものではなく、設計的に自由に選択可能なものである。また、前記のように画面が反転する時点を前後にして前記クリックブラケット４３によるクリック感が発生するように適宜に設計することができる。
【産業上の利用可能性】
【００５３】
本発明の映像撮影装置は、動画像と静止画像を撮影する撮影装置、例えば、デジタルスチルカメラ、デジタルビデオカメラ、カムコーダー等のいずれにも適用可能であり、特にＬＣＤパネルを備えた撮影装置及び再生装置のいずれにも適用可能である。
【図面の簡単な説明】
【００５４】
【図１】本発明の実施例に係る映像撮影装置を示す斜視図である。
【図２Ａ】図１に示す映像撮影装置を示す部分断面斜視図である。
【図２Ｂ】図２Ａの要部を拡大して示す要部斜視図である。
【図３】図２Ａに示すヒンジユニットの第１の軸ユニットを示す分離斜視図である。
【図４】図２Ａに示すヒンジユニットの第２の軸ユニットを示す分離斜視図である。
【図５】図３に示す検知スイッチだけを拡大して示す平面図である。
【図６】ディスプレイパネルが本体の装着部に収められ装着された状態を示す図である。
【図７Ａ】ディスプレイパネルが９０°回転した状態を示す図である。
【図７Ｂ】ディスプレイパネルが９０°回転した状態での検知スイッチの接続状態を示す図である。
【図８Ａ】ディスプレイパネルが１３５°回転した状態を示す図である。
【図８Ｂ】ディスプレイパネルが１３５°回転した状態での検知スイッチの接続状態を示す図である。
【図９Ａ】ディスプレイパネルが１８０°回転した状態を示す図である。
【図９Ｂ】ディスプレイパネルが１８０°回転した状態での検知スイッチの接続状態を示す図である。
【図１０Ａ】ディスプレイパネルが２２５°回転した状態を示す図である。
【図１０Ｂ】ディスプレイパネルが２２５°回転した状態での検知スイッチの接続状態を示す図である。
【図１１Ａ】ディスプレイパネルが２７０°回転した状態を示す図である。
【図１１Ｂ】ディスプレイパネルが２７０°回転した状態での検知スイッチの接続状態を示す図である。
【符号の説明】
【００５５】
１０  本体
２０  ディスプレイパネル
３０  ヒンジユニット
４０  第１の軸ユニット
４１  固定ブラケット
４２  回転ブラケット
４３  クリックブラケット
５０  第２の軸ユニット
６０  検知スイッチ
６１  パターン端子パネル
６２  スイッチ端子
６３  スイッチング弾性片
【図１】
2005065223.tif 000003
【図２Ａ】
2005065223.tif 000004
【図２Ｂ】
2005065223.tif 000005
【図３】
2005065223.tif 000006
【図４】
2005065223.tif 000007
【図５】
2005065223.tif 000008
【図６】
2005065223.tif 000009
【図７Ａ】
2005065223.tif 000010
【図７Ｂ】
2005065223.tif 000011
【図８Ａ】
2005065223.tif 000012
【図８Ｂ】
2005065223.tif 000013
【図９Ａ】
2005065223.tif 000014
【図９Ｂ】
2005065223.tif 000015
【図１０Ａ】
2005065223.tif 000016
【図１０Ｂ】
2005065223.tif 000017
【図１１Ａ】
2005065223.tif 000018
【図１１Ｂ】
2005065223.tif 000019